(57)【特許請求の範囲】
【請求項１】
照明光を外部に照射するための発光部を有する撮像装置に取り付けられる照明用アダプタにおいて、
上記発光部からの照明光を導入する光導入開口と、該光導入開口近傍に設けられ上記光導入開口を光学的に開口する全開状態と上記光導入開口を一部遮蔽する半遮光状態とに切り換え可能な可動の遮光部材と、上記光導入開口から導入された照明光を上記撮像装置の撮像光軸に向けて反射する反射面と、該反射面によって反射された照明光を拡散する拡散部と、を有する導光手段と、
上記撮像装置の撮像開口を露出する開口部と、上記開口部周囲に設けられ上記導光手段から導かれた拡散照明光を被写体側に反射するため上記開口部から被写体側に向けて拡がるように形成されたテーパ状の反射面を有する反射部と、を有し、上記テーパ状の反射面の一部に上記拡散部が配設された反射本体と、
を具備したことを特徴とした照明用アダプタ。
【請求項２】
上記テーパ状の反射面は円環形状に形成されていることを特徴とした請求項１記載の照明用アダプタ。
【請求項３】
上記導光手段は、手動操作によって上記全開状態と上記半遮光状態と切り換える開口状態切換操作部材を、さらに有することを特徴とした請求項１又は請求項２記載の照明用アダプタ。
【請求項４】
上記拡散部は、上記テーパ状の反射面と同一の形状面を有することを特徴とした上記請求項１〜請求項３のいずれか一つに記載の照明用アダプタ。
【請求項５】
上記開口状態切換操作部材は、手動により上記遮光部材を回動させるダイヤル式操作部材であることを特徴とした上記請求項３に記載の照明用アダプタ。
【請求項６】
上記開口状態切換操作部材は、手動により上記遮光部材を揺動させるレバー式操作部材であることを特徴とした上記請求項３に記載の照明用アダプタ。
【請求項７】
照明光を外部に照射するための発光部を有する撮像装置に取り付けられる照明用アダプタにおいて、
上記発光部からの照明光を導入する光導入開口と、該光導入開口近傍に設けられ上記光導入開口を光学的に開口する全開状態と上記光導入開口を一部遮蔽する半遮光状態とに切り換え可能な可動の遮光部材と、上記光導入開口から導入された照明光を上記撮像装置の撮像光軸に向けて反射する反射面と、該反射面によって反射された照明光を拡散する拡散部と、を有する導光手段と、
上記撮像装置の撮像開口を露出する開口部と、上記開口部周囲に設けられ上記導光手段から導かれた拡散照明光を被写体側に反射するため上記開口部から被写体側に向けて拡がるように形成されたテーパ状の反射面を有する反射部と、上記テーパ状の反射面の一部を切り欠いた切欠部と、を有し、上記切欠部に上記拡散部を配置した環状反射本体と、
を具備したことを特徴とした照明用アダプタ。
【発明の詳細な説明】
【技術分野】
【０００１】
この発明は、照明光を外部に照射するための発光部を有する撮像装置に取り付けられる照明用アダプタに関するものである。
【背景技術】
【０００２】
従来、撮像機能を有する撮像装置においては、例えば夜間若しくは日陰等の低輝度環境下等での撮像動作を行う際に、充分な露出量を得るために照明光を外部の被写体に向けて照射するための発光部を、装置本体に一体に内蔵した形態で構成されているものが実用化されている。
【０００３】
この種の従来の撮像装置に具備される発光部は、その光源として例えば閃光放電管を用いた閃光発光装置のほか、他の光源として例えば発光ダイオード（Light Emitting Diode；ＬＥＤ）を用いたものが実用化されている。
【０００４】
このような形態の従来の撮像装置を用いて上記発光部を利用する撮像動作を行う場合、特に撮像対象とする被写体が極端に近接領域にある場合（例えば被写体までの距離が数センチ程度の近距離にあるような場合）のいわゆる近接撮像時には、上記発光部から照射される照明光が、所望の被写体に対して適切に照射されない場合がある。具体的には、例えば撮像装置の前面側（被写体側）に設けられるレンズ鏡筒等の構造物が、上記発光部からの照明光を遮ってしまう等に起因して、所望の被写体に対して照明光を均一に照射することができないことがある。このような場合、得られる画像は、部分的に光量不足を生じた状態になってしまうことになる。
【０００５】
そこで、近年、発光部を有する撮像装置に取り付けることによって、当該撮像装置の発光部から外部に照射される照明光を撮像光学系の周囲近傍へと導光して拡散照明光を得て、近接撮像時にも被写体に対する均一な照明光を得ることができるようにしたアクセサリ装置である照明用アダプタが、例えば特開２００５−２５８０１１号公報、特開２０１４−１４２５６４号公報、特開２００９−２３７２９８号公報等によって種々提案されている。
【０００６】
上記特開２００５−２５８０１１号公報、上記特開２０１４−１４２５６４号公報等によって開示されている照明用アダプタは、光源として発光ダイオードを用いる発光部を有する撮像装置に取り付けられる照明用アダプタである。
【０００７】
また、上記特開２００９−２３７２９８号公報等によって開示されている照明用アダプタは、発光部の光源として閃光放電管を用いる閃光発光装置を備えた撮像装置に取り付けて使用する照明用アダプタである。
【先行技術文献】
【特許文献】
【０００８】
【特許文献１】特開２００５−２５８０１１号公報
【特許文献２】特開２０１４−１４２５６４号公報
【特許文献３】特開２００９−２３７２９８号公報
【発明の概要】
【発明が解決しようとする課題】
【０００９】
ところが、上記特開２００５−２５８０１１号公報、上記特開２０１４−１４２５６４号公報等によって開示されている照明用アダプタは、上述したように、光源として発光ダイオードを用いる構成である。光源としての発光ダイオードは、例えば閃光放電管を光源とするものに比べて得られる光量が少ないので充分な照明光量を得ることができない可能性がある。照明光の光量が少ないと、撮像するのに適正な露出量を得るためには、例えばシャッタ速度を遅くせざるを得ず、これに起因して、手振れや被写体振れ等が発生してしまうという問題点がある。
【００１０】
また、上記特開２００９−２３７２９８号公報等によって開示されている照明用アダプタは、光源として閃光放電管を用いる構成であるため充分な照明光量を得ることができる。しかしながら、閃光放電管を発光部の光源とする場合、例えば撮像装置から撮像対象とする被写体までの距離や被写体の反射率等によっては、上記発光部の発光調整範囲を超えてしまうことがある。すると、適正な露出量の調整を行うことができずに、その結果、取得される撮像画像が露出過多（オーバー）となってしまうことがあるという問題点がある。
【００１１】
本発明は、上述した点に鑑みてなされたものであって、その目的とするところは、照明光を外部に照射するための発光部を有する撮像装置に取り付けられる照明用アダプタにおいて、発光部から照射された照明光を拡散照明光に変換して、この拡散照明光を撮像光学系の周囲近傍へと導光する構造において、撮像装置による発光調整範囲を超えた照明光量調整を行う機構を実現して、近距離や高反射率の被写体であっても適正な光量の照明光を近接被写体に向けて均一に照射することができ、適正な露出量を得ることができる。したがって、取得画像の画質劣化を抑えることができ、常に良好な画質の画像を取得することのできる照明用アダプタを提供することである。
【課題を解決するための手段】
【００１２】
上記目的を達成するために、本発明の一態様の照明用アダプタは、照明光を外部に照射するための発光部を有する撮像装置に取り付けられる照明用アダプタにおいて、上記発光部からの照明光を導入する光導入開口と、該光導入開口近傍に設けられ上記光導入開口を光学的に開口する全開状態と上記光導入開口を一部遮蔽する半遮光状態とに切り換え可能な可動の遮光部材と、上記光導入開口から導入された照明光を上記撮像装置の撮像光軸に向けて反射する反射面と、該反射面によって反射された照明光を拡散する拡散部と、を有する導光手段と、上記撮像装置の撮像開口を露出する開口部と、上記開口部周囲に設けられ上記導光手段から導かれた拡散照明光を被写体側に反射するため上記開口部から被写体側に向けて拡がるように形成されたテーパ状の反射面を有する反射部と、を有し、上記テーパ状の反射面の一部に上記拡散部が配設された反射本体とを具備した。
【００１３】
本発明の他の一態様の照明用アダプタは、照明光を外部に照射するための発光部を有する撮像装置に取り付けられる照明用アダプタにおいて、上記発光部からの照明光を導入する光導入開口と、該光導入開口近傍に設けられ該光導入開口を光学的に開口する全開状態と上記光導入開口を一部遮蔽する半遮光状態とに切り換え可能な可動の遮光部材と、上記光導入開口から導入された照明光を上記撮像装置の撮像光軸に向けて反射する反射面と、該反射面によって反射された照明光を拡散する拡散部と、を有する導光手段と、上記撮像装置の撮像開口を露出する開口部と、上記開口部周囲に設けられ上記導光手段から導かれた拡散照明光を被写体側に反射するため上記開口部から被写体側に向けて拡がるように形成されたテーパ状の反射面を有する反射部と、上記テーパ状の反射面の一部を切り欠いた切欠部と、を有し、上記切欠部に上記拡散部を配置した環状反射本体とを具備した。
【発明の効果】
【００１４】
本発明によれば、照明光を外部に照射するための発光部を有する撮像装置に取り付けられる照明用アダプタにおいて、発光部から照射された照明光を拡散照明光に変換して、この拡散照明光を撮像光学系の周囲近傍へと導光する構造において、撮像装置による発光調整範囲を超えた照明光量調整を行う機構を実現して、近距離や高反射率の被写体であっても適正な光量の照明光を近接被写体に向けて均一に照射することができ、適正な露出量を得ることができる。したがって、取得画像の画質劣化を抑えることができ、常に良好な画質の画像を取得することのできる照明用アダプタを提供することができる。
【図面の簡単な説明】
【００１５】
【図１】本発明の一実施形態の照明用アダプタと、これを取り付けて使用し得る撮像装置とをそれぞれ示す外観斜視図
【図２】本発明の一実施形態の照明用アダプタと撮像装置との装着状態を示す外観斜視図
【図３】本発明の一実施形態の照明用アダプタと撮像装置との装着状態の正面図
【図４】図３の［４］−［４］線に沿う断面図
【図５】図３の［５］−［５］線に沿う断面図（遮光部材の全開状態）
【図６】本発明の一実施形態の照明用アダプタを分解して示す分解斜視図
【図７】図６の照明用アダプタを背面側から見た際の平面図
【図８】図６の照明用アダプタから一部（マウント部材）の構成部材を取り外した状態を背面側から見た平面図
【図９】図８の状態の照明用アダプタにおける背面側からの斜視図
【図１０】本発明の一実施形態の照明用アダプタにおける遮光部材の動作範囲を示す概念図
【図１１】図３の［５］−［５］線に沿う断面図（遮光部材の半遮光状態）
【図１２】本発明の一実施形態の照明用アダプタを取り付けた撮像装置を使用する際に使用者（ユーザ）が撮像装置を保持しているようすを正面側から見た概念図
【発明を実施するための形態】
【００１６】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量や構成要素の形状や構成要素の大きさの比率や各構成要素の相対的な位置関係等に関し、図示の形態のみに限定されるものではない。
【００１７】
本発明の一実施形態は、撮像光学系により結像された光学像を、光電変換素子（例えばＣＣＤ（Charge Coupled Device；電荷結合素子）イメージセンサーやＣＭＯＳ（Complementary Metal Oxide Semiconductor；相補性金属酸化膜半導体）型イメージセンサー等）（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置（例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等）を備えて構成され、さらに装置本体には、照明光を外部に照射するための発光部を一体に内蔵して構成された（いわゆるデジタルカメラ等と呼ばれる）撮像装置に取り付けられる照明用アダプタを例示するものである。
【００１８】
なお、本実施形態において、撮像光学系の撮像光軸を符号Ｏで表すものとする。ここで、本実施形態において例示する撮像装置の撮像光学系としては、被写体側から入射して撮像素子にまで至る光路中に、例えばプリズム等を設け、このプリズム等を用いて当該撮像光学系の光路（光軸）を角度９０度折り曲げて構成される屈曲光学系を採用している。したがって、当該撮像光学系の光軸としては、被写体側から入射する光路に沿う方向の光軸と、プリズムによって屈曲された後に撮像素子へと向かう光路に沿う方向の光軸とがあるが、以下の説明において符号Ｏを付して示す撮像光軸は、前者、即ち被写体側からの入射光路に沿う光軸を指すものとする。
【００１９】
そして、本実施形態の撮像装置においては、撮像光軸Ｏ（以下、単に光軸Ｏという）に沿う方向において、当該撮像装置の使用時に被写体に対向する面を撮像装置の前面というものとする。また同様に、光軸Ｏに沿う方向において、撮像装置の使用時に使用者が対面する面を撮像装置の背面というものとする。さらに、撮像装置における操作部材のうちシャッタレリーズボタンが配設されている面を撮像装置の上面というものとする。そして、撮像装置の上面に対向する面を撮像装置の底面というものとする。さらにまた、通常の使用状態で撮像装置の両側に配置される面を左側面及び右側面というものとする。この場合の左右の判別は、被写体側から撮像装置の前面に向かって見たときの左側又は右側をそれぞれ左又は右として区別するものとする。
【００２０】
図１、図２、図３は、本発明の一実施形態の照明用アダプタと、これを取り付けて使用し得る撮像装置を示す外観図である。このうち図１は、撮像装置に対し本実施形態の照明用アダプタが取り外されている状態を示す外観斜視図である。また図２、図３は、本実施形態の照明用アダプタが撮像装置に装着されている状態を示している。このうち図２は斜視図である。また、図３は撮像装置の前面側から見た正面図である。
【００２１】
図４、図５は、本実施形態の照明用アダプタが撮像装置に装着された状態（図２、図３に示す状態）の断面図である。このうち図４は、図３の［４］−［４］線に沿う断面を示している。また図５は、図３の［５］−［５］線に沿う断面を示している。
【００２２】
図６〜図９は、本実施形態の照明用アダプタを示す図である。このうち図６は、本実施形態の照明用アダプタを分解して示す分解斜視図である。図７は、本実施形態の照明用アダプタを背面側から見た際の平面図である。図８は、本実施形態の照明用アダプタにおける構成部材のうちの一部（マウント部材）を取り外して、背面側から見た際の平面図である。図９は、図８の背面斜視図である。
【００２３】
図１０は、本実施形態の照明用アダプタにおける遮光部材の動作範囲を概念的に示す図である。なお、図１０では、本実施形態の照明用アダプタを撮像装置に取り付けた場合における遮光部材のみの配置を概念的に示している。図１１は、上記図５と同様に、図３の［５］−［５］線に沿う断面を示している。なお、上記図５では遮光部材の全開状態を示している。また図１１では遮光部材の半遮光状態を示している。
【００２４】
図１２は、本実施形態の照明用アダプタを取り付けた撮像装置を使用する際に使用者（ユーザ）が撮像装置を保持しているようすを正面側から見た概念図である。
【００２５】
まず、本発明の一実施形態の照明用アダプタと、これを取り付けて使用し得る撮像装置の概略構成を、主に図１〜図３を用いて以下に説明する。
【００２６】
本実施形態の照明用アダプタ１０は、照明光を外部に照射するための発光部５を有する撮像装置１に取り付けられて使用される。
【００２７】
本実施形態の照明用アダプタ１０が取り付けられる撮像装置１は、図１に示すように、全体として略矩形箱型形状の筐体２の内部に各種の構成部材を収納して構成されている。筐体２の前面には、略中央部分に撮像開口４ｂが形成されている。この撮像開口４ｂは、撮像に寄与する光束を内部に導入するための開口である。そのために、筐体２の内部に配設されている撮像光学系４１（図１〜図３には不図示；図４参照）の光軸Ｏが、上記撮像開口４ｂの略中心を通過するように、上記撮像開口４ｂの撮像光学系４１に対する相対的な位置が規定されている。
【００２８】
上記撮像開口４ｂには、薄板平面状のガラス製若しくはアクリル樹脂製等の透明部材からなる保護窓部材４が設けられている。この保護窓部材４は、撮像光学系４１への撮像光束を透過させると共に、内部の撮像光学系４１等の構成部材を保護する役目をしているものである。
【００２９】
上記撮像装置１の前面において、上記撮像開口４ｂの外周縁部には、本実施形態の照明用アダプタ１０等をはじめとした各種のアクセサリ装置を、当該撮像装置１に取り付けるためのアクセサリ取付用マウント部４ａが設けられている（図１参照；図２、図３には不図示）。このアクセサリ取付用マウント部４ａの形態としては、例えばバヨネット式若しくはスクリュー式のマウント方式が適用される。本実施形態においては、バヨネット式のマウント方式のものを例に挙げて図示している（図１参照）。
【００３０】
また、上記撮像装置１には、右上面寄りの一隅部近傍に発光部５が設けられている。この発光部５は、例えば閃光放電管５１と照明光反射笠５２（反射傘）と略矩形状の照明光照射窓５３等（図４等参照）を有して構成されるいわゆる閃光発光装置と呼ばれる形態のものである。
【００３１】
撮像装置１の前面には、発光部５の照明光照射窓５３が、外表面と略同一平面となるように配置されている。この照明光照射窓５３は、照明光を透過させ得るように略透明の樹脂製部材等が用いられ、その内面は、上記閃光放電管５１の発光による照明光を所定の照射範囲内に拡散させ得るように所定の表面加工処理が施されている。照明光照射窓５３の内側には、照明光反射笠５２（反射傘）が設けられ、その略中央部分に閃光放電管５１が配置されている。照明光反射笠５２は、閃光放電管５１の発光による照明光を、所定の一方向（即ち前面側の照明光照射窓５３の方向）へ向けて照射するように形成されている。なお、このような閃光発光装置自体の構成は、従来一般的に実用化されているものと同様であるので、これ以上の詳述は省略する。なお、本閃光発光装置は円筒状の放電管と、これから発光される閃光を被写体側に反射するため一対の反射面からなる矩形形状の反射笠とからなる。
【００３２】
一方、撮像装置１の上面には、複数の操作部材３が配設されている。この複数の操作部材３としては、例えば、電源オンオフ操作を行う電源ボタンや、シャッタレリーズ操作を行うレリーズボタンのほか、ズーミング操作を行うズームレバー等がある。
【００３３】
他方、撮像装置１の前面において、左寄りの部位には、前面左寄り領域から左側面を覆うようにグリップ部６が配設されている。また、撮像装置１の左側面には、吊り紐等を取り付けるためのストラップ取付部７が配設されている。上記撮像装置１についてのその他の構成は、従来のものと同様である。
【００３４】
このような形態の撮像装置１に取り付けられる本実施形態の照明用アダプタ１０は、撮像装置１のアクセサリ取付用マウント部４ａに対してバヨネット結合によって接続される。そのために、上記照明用アダプタ１０の背面側には、撮像装置１のアクセサリ取付用マウント部４ａに対応するバヨネット爪２１ｄ（図１等には不図示；図７参照）を有している。
【００３５】
本実施形態の照明用アダプタ１０は、発光部５からの照明光を導入し、その照明光を撮像装置１の撮像光軸Ｏのある側に向けて反射させ、その反射光を拡散させて拡散照明光に変換する導光手段１１と、上記導光手段１１から導かれた拡散照明光を被写体側（前方）に向けて反射させると共に、同拡散照明光の撮像光学系４１への入射を遮光する反射本体１２とによって構成されている。
【００３６】
そのために、詳細は後述するが、上記導光手段１１は、照明光を反射させる反射部材３２（図１には不図示；図６等参照）や、その反射光を拡散させ拡散照明光に変換する拡散部材である拡散板３３等を有して構成されている。また、反射本体１２は、撮像開口４ｂを露呈させる開口部１０ａや、拡散照明光を被写体側（前方）へ反射させるテーパ状の反射面３５や、撮像光学系４１への拡散照明光を遮光する壁部２１ｃ等を有して構成されている。
【００３７】
上記撮像装置１に本実施形態の照明用アダプタ１０が取り付けられた状態では、上記導光手段１１は撮像装置１の発光部５を覆う様に配置され、上記反射本体１２は撮像装置１の撮像開口４ｂ周りに取り付けられた状態となる。その装着状態が図２、図３に示す状態である。
【００３８】
次に、本実施形態の照明用アダプタ１０の詳細な構成について、主に図４〜図９（このうち特に図６を参照）を用いて以下に説明する。
【００３９】
本実施形態の照明用アダプタ１０は、上述したように、導光手段１１と、反射本体１２とによって主に構成されている。
【００４０】
導光手段１１は、正面側から見た形状が略三角形状で（図３参照）、撮像装置１に装着した時の前後方向に厚みを有し内部に空間を備えた筐体部を主要構成部材として形成されている。
【００４１】
反射本体１２は、略中央部に開口部１０ａを有し、全体として円環形状に形成され、上記開口部１０ａの周縁から被写体側に向けて拡径するような形態のテーパ状の反射面３５を有して構成されている。
【００４２】
そして、本実施形態の照明用アダプタ１０は、上記導光手段１１と反射本体１２とが一体となるように、複数の構成部材を組み合わせて全体が構成されている。以下、その構成を具体的に説明する。
【００４３】
即ち、上記照明用アダプタ１０は、マウント部材２１と、本体部材２２と、円環状反射部材２３とからなる複数の構成部材によって基本部分が構成されている。導光手段１１は、主に上記マウント部材２１の一部と、上記本体部材２２の一部とによって構成されている。反射本体１２は、主にマウント部材２１の一部と、本体部材２２の一部と、円環状反射部材２３とによって構成されている。
【００４４】
マウント部材２１は、導光手段１１の一部である光導入開口２１ｂを有すると共に、反射本体１２の一部である開口２１ａ（開口部１０ａと同等）と壁部２１ｃとを有し、かつ背面側に撮像装置１との接続を確保するためのバヨネット爪２１ｄ（図７参照）を有して構成されている。
【００４５】
本体部材２２は、導光手段１１の一部を構成する筐体部と、反射本体１２の一部を構成する円環状部とによって構成されている。上記筐体部は、反射部材３２や拡散板３３等を内部に備え、導光手段１１から反射本体１２へと導光される照明光を通過させると共に上記拡散板３３を固定支持する開口２２ｂを有して構成される構造部である。また、上記円環状部は、略中央部分に開口２２ａ（開口部１０ａと同等）を有し、外周縁部の一部に上記筐体部（導光手段１１）が一体に保持される構造部である。
【００４６】
円環状反射部材２３は、開口２３ａ（開口部１０ａと同等）と、導光手段１１から導かれた拡散照明光を被写体側に反射するためのテーパ状の反射面３５とを有して構成される反射部である。なお、詳細は後述するが、上記円環状反射部材２３の反射面３５の一部には、上記導光手段１１の拡散板３３が露呈するように配設されている。また、上記円環状反射部材２３の上記開口２３ａ周りには、上記マウント部材２１の壁部２１ｃが被写体側（前方）に向けて延びるように配設されている。
【００４７】
そして、上記マウント部材２１と上記本体部材２２とは、例えば複数のビス３６によって締結固定されることによって一体とされている。また、本体部材２２と円環状反射部材２３とは、例えばスナップフィット等の機械的接合手段を用いて一体となるように接続されている。
【００４８】
各部を詳述する。導光手段１１の主要部構成部材である上記筐体部は、上述したように、上記マウント部材２１の一部と、上記本体部材２２の一部とによって構成されている。このうち、導光手段１１の筐体部には、発光部５からの照明光を導入する略矩形状の光導入開口２１ｂが設けられている。ここで、上記光導入開口２１ｂは、上記マウント部材２１に形成されている。
【００４９】
したがって、当該照明用アダプタ１０が撮像装置１に取り付けられる際には、撮像装置１の前面において導光手段１１が発光部５を覆うように配置される。この場合において、照明光照射窓５３に対向させるように光導入開口２１ｂを配置する。これにより、照明光照射窓５３から出る照明光の照射方向（即ち前面に向けた方向であって光軸Ｏと略平行方向）が光導入開口２１ｂと略一致するように配置される。したがって、発光部５の照明光照射窓５３から出射した照明光は、光導入開口２１ｂから導光手段１１の内部へと導入されることになる。
【００５０】
上記光導入開口２１ｂには、薄板平面状のガラス製若しくはアクリル樹脂製等の透明若しくは半透明部材等からなる保護板２４が設けられている。この保護板２４は、導光手段１１の内部構成部材を保護する機能を有する部材である。保護板２４は、マウント部材２１の光導入開口２１ｂの周縁部に対し、例えば両面テープ２５等の貼着部材等を用いて固定されている。
【００５１】
一方、導光手段１１の筐体部の内部には、複数の反射板（３２ａ、３２ｂ、３２ｃ）からなる反射部材３２（反射面）が設けられている。この反射部材３２は、上記本体部材２２内に設けられている。即ち、導光手段１１の筐体部の内部において、光導入開口２１ｂに対向する壁面及び上面側壁面に、光を反射し得るような表面加工処理（例えば鏡面仕上げ等）が施された薄板平面状の樹脂製部材等からなる反射部材３２が設けられている。
【００５２】
この反射部材３２は、上記光導入開口２１ｂから導入された照明光を撮像装置１の撮像光軸Ｏのある側に向けて反射させる部材である。そのために、当該反射部材３２は複数の反射板（本実施形態では三枚；３２ａ、３２ｂ、３２ｃ；図６、図８、図９参照）によって構成されている。もちろん、上記反射部材３２を複数の反射板とする形態に替えて、上記導光手段１１の筐体部の内部壁面のうちの上記反射部材３２が配設される部分の壁面を、例えば銀メッキ等の表面処理を施して形成してもよい。
【００５３】
具体的には、導光手段１１の筐体部内における上面側壁面において、反射面を下面側に向けて設けられる第１反射板３２ａ（図５参照）と、同筐体部内において光導入開口２１ｂに沿う面に対向する壁面に設けられる第２反射板３２ｂ及び第３反射板３２ｃとがある。ここで、上記第２反射板３２ｂは、光導入開口２１ｂに沿う面に対向する壁面の一部において、上記光導入開口２１ｂに対して、反射面が所定の傾きを有して配設されている（図４、図９参照）。この場合において、上記第２反射板３２ｂは、撮像装置１の撮像光軸Ｏのある側に向けて、反射面が所定の傾きを持つように配設されている（図４、図９参照）。また、上記第３反射板３２ｃは、光導入開口２１ｂに沿う面に対向する壁面の一部において、同光導入開口２１ｂに正対するように配置されている（図５参照）。
【００５４】
他方、導光手段１１の筐体部には、上記反射部材３２によって光軸Ｏのある側に向けて反射された照明光を通過させると共に、拡散板３３を固定支持する開口２２ｂが設けられている。
【００５５】
さらに、導光手段１１の筐体部は、上記反射部材３２によって反射された照明光を拡散する拡散部材である拡散板３３を有している。この拡散板３３は、上記反射部材３２からの反射光（照明光）を透過させることによって、当該反射光を拡散させるための拡散部材である。
【００５６】
上記拡散板３３は、例えば薄板平面状のガラス製若しくはアクリル樹脂製等の乳白色等の半透明部材によって形成される板状部材である。上記拡散板３３は、上記開口２２ｂを覆うように、上記本体部材２２に対して固定されている。この場合において、上記拡散板３３の固定は、例えば両面テープ３４等の貼着部材等が用いられている。
【００５７】
またさらに、導光手段１１の筐体部は、光導入開口２１ｂを光学的に開口する全開状態と、光導入開口２１ｂを一部遮蔽する半遮光状態とに切り換え可能とする遮光部材２６を有している。この遮光部材２６は、光導入開口２１ｂの近傍に設けられている。
【００５８】
即ち、上記遮光部材２６は、光導入開口２１ｂの近傍において、当該光導入開口２１ｂから導入される照明光の光路中に挿抜可能に設けられている。そして、上記遮光部材２６は、上記照明光の光路中に挿入されたときには、上記光導入開口２１ｂの一部を遮蔽して、上記導光手段１１へと導入される照明光の光量を減少させるための減光手段として機能する。
【００５９】
その構成を詳述すると、上記遮光部材２６は、例えば薄板平面状にやや細長の略短冊形状に形成され、一端部を支軸として所定の範囲内で回転自在となるように本体部材２２に対して軸支されている。そのために、遮光部材２６の一端部には支持孔２６ａが穿設されている。この支持孔２６ａには、本体部材２２を挟んで開口状態切換操作部材２８の支軸が挿通されている。つまり、開口状態切換操作部材２８の支軸は、本体部材２２の貫通孔２２ｃを挿通した後、遮光部材２６の支持孔２６ａに嵌合している。そして、遮光部材２６と開口状態切換操作部材２８とはビス２９によって本体部材２２を挟んで一体化されている。これにより、上記遮光部材２６及び上記開口状態切換操作部材２８は、開口状態切換操作部材２８の支軸周りに回動可能に配設されている。
【００６０】
上記開口状態切換操作部材２８は、支軸を中心として所定範囲内で回動又は揺動させることによって、上記遮光部材２６を所定の範囲内で回動させ得るダイヤル式又はレバー式の操作部材である。そのために、上記開口状態切換操作部材２８は、当該照明用アダプタ１０の導光手段１１の筐体部における外表面から一部が露呈するように、同筐体部に対して回動又は揺動自在に配設されている。
【００６１】
この構成により、使用者（ユーザ）が上記開口状態切換操作部材２８を手動により回動又は揺動させると、上記遮光部材２６は所定の範囲内で回動する。具体的には、使用者（ユーザ）が、上記開口状態切換操作部材２８を手動によって一方向に向けて回動又は揺動操作すると、遮光部材２６は、光導入開口２１ｂから導入された照明光の光路上から退避する位置に移動して、光導入開口２１ｂを光学的に開口する全開状態とすることができる。図７〜図１０において二点鎖線で示す位置に遮光部材２６が配置された時に、当該遮光部材２６は光導入開口２１ｂから導光手段１１の筐体部の内部に導入される照明光の光路上から退避した全開状態となる。この全開状態では、上記発光部５からの照明光の略全てが上記光導入開口２１ｂから導光手段１１の筐体部の内部に導入される得る状態になる。例えば、図５は遮光部材２６の全開状態を示している。この状態においては、図５（及び図４）の矢印符号Ｓで示すように、上記発光部５からの照明光は、略全てが上記光導入開口２１ｂから導光手段１１の筐体部の内部に導入されて、反射部材３２（３２ａ、３２ｂ、３２ｃ）へと向かい、同反射部材３２によって反射して拡散板３３へと向かうように構成されている。なお、図４中に示される遮光部材２６は紙面垂直方向の下方に、上記光導入開口２１ｂから退避しているため矢印符号Ｓで示す光束を遮っていない。
【００６２】
一方、遮光部材２６が上記全開状態にあるときに、使用者（ユーザ）が、上記開口状態切換操作部材２８を手動によって他方向に向けて回動又は揺動操作すると、遮光部材２６は、光導入開口２１ｂの一部を遮蔽して、光導入開口２１ｂから導入された照明光の一部を遮光する半遮光状態に切り換えることができるように構成されている。図７において点線（破線）で示す位置及び図８、図９において実線で示す位置に遮光部材２６が配置された時、当該遮光部材２６は光導入開口２１ｂから導光手段１１の筐体部の内部に導入される照明光の光路上の一部を遮るように、同光路内に挿入された状態となる。本実施形態においては、遮光部材２６が光導入開口２１ｂの全面積の略半分を覆う状態となる。この状態を半遮蔽状態というものとする。この半遮蔽状態では、上記発光部５からの照明光のうちの一部が遮蔽され、他の一部のみが上記光導入開口２１ｂから導光手段１１の筐体部の内部に導入される得る状態になる。例えば、図１１は遮光部材２６の半遮蔽開状態を示している。この状態においては、上記発光部５からの照明光の一部（照明光の略下半部）は、図１１の矢印符号Ｓ２で示すように、遮蔽される一方、上記発光部５からの照明光の他の一部（照明光の略上半部）のみが、図１１の矢印符号Ｓ１で示すように、上記光導入開口２１ｂから導光手段１１の筐体部の内部に導入されて、反射部材３２（３２ａ、３２ｂ、３２ｃ）へと向かい、同反射部材３２によって反射して拡散板３３へと向かうように構成されている。
【００６３】
このような構成により、上記開口状態切換操作部材２８は、光導入開口２１ｂを全開状態と半遮光状態との間で切り換える操作部材として機能する。したがって、使用者（ユーザ）が必要に応じて適宜、上記開口状態切換操作部材２８を操作することにより光導入開口２１ｂを通過する光路に対して遮光部材２６を挿抜させて照明光量の調整を行うことができる。つまり、上記開口状態切換操作部材２８を操作して、遮光部材２６を照明光の光路中に挿入させることによって、上記導光手段１１へと導入される照明光の光量を減少させる調整を行うことができる。
【００６４】
なお、使用者（ユーザ）が、上記導光手段１１へと導入される照明光の光量を減少させるために、上記開口状態切換操作部材２８を操作を行う状況としては、例えば当該照明用アダプタ１０を取り付けた撮像装置１を用いて近接被写体の撮像を行うのに際し、発光部５からの照明光の全てを被写体に向けて照射した場合に、撮像装置１による発光部５の発光調整範囲を超えてしまい、適正な露出量を得ることができないといった状況が考えられる。この場合には、所望の被写体が近距離にあったり高反射率である等の理由によって、撮像装置１による照明光の光量調整を行っても照明光が過大となってしまい、露出過多（オーバー）になってしまう。そこで、上記開口状態切換操作部材２８を操作して、上記導光手段１１へと導入される照明光の光量を減少させる。これにより、このような状況下においても、適正な光量の照明光を被写体に向けて均一に照射することができ、よって画質劣化を抑え、適正な露出量を得ることができる。
【００６５】
なお、上記開口状態切換操作部材２８及び遮光部材２６は、その操作範囲内における所定の複数位置（本実施形態においては二箇所）にて、回動又は揺動位置が維持されるように位置規制機構である切換クリック機構２７を有している。
【００６６】
上記切換クリック機構２７は、遮光部材２６の支持孔２６ａ近傍に設けられた複数のクリック凸部２６ｂと、このクリック凸部２６ｂに対向する位置において、本体部材２２の側に設けられるボール３０と、本体部材２２側に設けられ上記ボール３０を上記クリック凸部２６ｂ側に向けて押圧付勢する付勢ばね３１等によって構成されている。なお、この切換クリック機構２７の構成については、一般的な周知技術であるクリック機構が適用されている。したがって、その詳細な図示及び説明は省略する。
【００６７】
このように、本実施形態の照明用アダプタ１０は、上記開口状態切換操作部材２８及び遮光部材２６が上記切換クリック機構２７を有して構成されていることから、上記開口状態切換操作部材２８の手動操作によって、遮光部材２６を全開状態と半遮光状態とのに二つの状態に切り換えることができ、それぞれの状態としたとき、各状態を維持することができるように構成されている。
【００６８】
なお、本実施形態においては、光導入開口２１ｂの全開状態と、同光導入開口２１ｂの半遮光状態との二つの位置で遮光部材２６を維持させるように、クリック機構２７が構成されている。つまり、本実施形態におけるクリック機構２７は、二つのクリックストップ位置が設定されている例を示している。
【００６９】
上記クリック機構２７のクリックストップ位置の設定は、上述した例（二箇所）に限られることはなく、三箇所或いはそれ以上のクリックストップ位置を設定することも可能である。その場合には、例えばクリック凸部２６ｂの配設数及び配設位置を所望のクリックストップ位置に合わせて複数形成すればよい。
【００７０】
反射本体１２は、主に円環状反射部材２３によって構成される。この円環状反射部材２３は、上述したように、撮像装置１の撮像開口４ｂを露出する開口部１０ａの一部を形成する開口２３ａを有して構成される。この開口２３ａ（開口部１０ａ）の周囲には、導光手段１１から導かれた拡散照明光を被写体側（前方）へ向けて反射するために、上記開口部１０ａから被写体側（前方）に向けて拡がるように形成されたテーパ状の反射面３５（反射部）が形成されている。ここで、円環状反射部材２３（反射部）は、反射面３５の法線が撮像装置１の撮像光軸Ｏのある方向に延びるように形成されている。
【００７１】
したがって、上記反射本体１２の主要構成部材である上記円環状反射部材２３は、開口２３ａと反射面３５とを有して構成される反射部である。
【００７２】
なお、上記反射面３５は、例えば照明光を拡散させ得るような表面加工処理（例えばエンボス加工等）が施されて、かつ照明光を反射しやすい白色若しくは乳白色等の着色処理（例えば塗装又は印刷等による着色処理）が施されている。また、これとは別に、円環状反射部材２３自体を、例えば白色等の着色樹脂素材を用いて形成してもよい。
【００７３】
また、上記反射面３５の一部には、上記導光手段１１の開口２２ｂ及び拡散板３３に対応する部位に開口２３ｂが形成されている。この開口２３ｂは、上記拡散板３３を露呈させ得るだけの面積を有して形成されている。なお、当該開口２３ｂは、上述したように、反射面３５の一部に設けられる。ここで、反射面３５は、開口２３ａから拡径するテーパ状に形成され、かつ円環形状に形成されている。したがって、反射面３５自体は、開口２３ｂの周方向において曲面となっている。一方、上記拡散板３３は、薄板平面状の部材を用いて形成されている。したがって、開口２３ａは、例えば図６に示すように、反射面３５の一部を切り欠いた切欠部２３ｃに形成されている。
【００７４】
なお、拡散板３３が配設される開口２３ｂ部分の構成については、この形態に限られることはなく、例えば反射面３５の面形状に合わせて同一形状面を有する拡散部材を用いて構成してもよい。この場合には、切欠部２３ｃは不要になる。
【００７５】
また、別の形態としては、例えば円環状反射部材２３において、上記開口２３ａに対応する一部のみを、拡散部材と同等の形態（半透明な光拡散機能を有する形態）となるように形成すると共に、それ以外の部分は、反射面３５と同等の形態（白色等の光拡散反射機能を有する形態）となるように形成し、両者を一体化して形成するといった構成も考えられる。
【００７６】
このような構成により、導光手段１１の反射部材３２によって反射された反射照明光は、上記開口２２ｂ及び当該開口２３ｂを通過した後、拡散板３３へ入射して、当該拡散板３３で拡散された後、その拡散照明光は、上記反射面３５で囲まれた領域へと照射される。そして、上記反射面３５で囲まれた領域へと導かれた照明光は、そのまま、被写体側（前方）に向けて照射されたり、上記反射面３５によって拡散され被写体側（前方）に向けて反射される。
【００７７】
さらに、上記円環状反射部材２３においては、開口２３ａ（開口部１０ａ）と反射面３５との境（間）の部位（即ち開口２３ａの周縁部）に、上記マウント部材２１の壁部２１ｃが上記被写体側（前方）に向けて延びるように突出して配設されている。
【００７８】
ここで、本実施形態に示す例においては、上記壁部２１ｃは、マウント部材２１の開口２１ａであり、本体部材２２の開口２２ａでもあり、円環状反射部材２３の開口２３ａでもあって、即ち照明用アダプタ１０の開口部１０ａの周縁（反射面３５との境の部位）に沿って全周に亘って配設されている。
【００７９】
この壁部２１ｃは、上記導光手段１１の拡散板３３から当該反射本体１２の反射面３５で囲まれた領域へと照射される拡散照明光が撮像光学系４１内へと直接入射するのを遮るために設けられる構成部である。
【００８０】
ここで、拡散板３３から出て反射面３５で囲まれた領域（以下、反射面３５の内側領域と略記する）へと照射される拡散照明光は、例えば図４において一点鎖線で示す矢印（１）、（２）、（３）等で示す成分がある。このうち、
矢印（１）は、拡散板３３によって拡散され、反射面３５の内側領域に照射された後、被写体側（前方）へと進む光成分を示し、
矢印（２）は、拡散板３３によって拡散され、反射面３５の内側領域に照射された後、拡散板３３に対向する側の反射面３５で反射して、被写体側（前方）へと進む光成分を示し、
矢印（３）は、拡散板３３によって拡散され、反射面３５の内側領域に照射された後、被写体側（前方）とは反対側へと進む光成分を示している。
【００８１】
この場合において、上記矢印（３）で示す光成分は、撮像光学系４１内へと直接入射する可能性がある。照明光が撮像光学系４１内へと直接入射すると、フレア等を発生させてしまい、被写体を含む画像を形成する上での有害光となる。
【００８２】
そこで、本実施形態の照明用アダプタ１０においては、上記壁部２１ｃを開口部１０ａの周縁に設けたことによって、図４の上記矢印（３）で示される有害光となる光成分を確実に遮光して、照明光が撮像光学系４１内へと直接入射することを抑止している。
【００８３】
図４において、上記矢印（３）で示す光成分の光路は、壁部２１ｃが存在しない場合には、同図４の矢印（３）の延長に示される二点鎖線に沿って進むものと考えられる。これに対し、本実施形態の照明用アダプタ１０においては、図４の矢印（３）の延長線上に壁部２１ｃが設けられているので、当該矢印（３）で示される方向に進む光成分は、上記壁部２１ｃによって確実に遮光されることになる。このようにして、本実施形態の照明用アダプタ１０においては、開口部１０ａの周縁に設けられた壁部２１ｃによって、拡散板３３からの拡散照明光が撮像光学系４１内へと直接入射して有害光となることを抑止することができる。
【００８４】
上述したように、上記壁部２１ｃは、被写体側（前方）に向けて延びるように突出して配設されている。この場合において、壁部２１ｃの延出高さ（図４に示す符号Ｈ参照）は、反射面３５の内側領域に照射された拡散照明光のうち、直接被写体側（前方）に向けて照射される光成分（図４の矢印（１））と反射面３５に向けて照射される光成分（図４の矢印（２））とを遮ることのないように設定される。
【００８５】
これと同時に、上記壁部２１ｃの延出高さＨは、撮像装置１における撮像光学系４１の画角（Angle of view；図４に示す符号ＡｏＶ参照）を阻害することのないように、つまり機械的なケラレ（mechanical vignetting）を発生させないように設定される。
【００８６】
なお、本実施形態の照明用アダプタ１０においては、上記壁部２１ｃは、開口部１０ａの周縁の全周に亘って設けられている構成を例示しているが、このような構成に限られることはない。上記壁部２１ｃは、拡散板３３から出た拡散照明光のうち撮像光学系４１へと向かう光成分を確実に遮光することができればよい。このことから、壁部２１ｃは、必ずしも開口部１０ａの周縁の全周に亘って設けられている必要はなく、少なくとも拡散板３３の近傍部分に設けられていればよい。
【００８７】
つまり、拡散板３３を配設するために、円環状反射部材２３の反射面３５の一部を切り欠いた切欠部２３ｃを形成した構成（図６等参照）においては、上記円環状反射部材２３の切欠部２３ｃと同開口２３ａとの境の部位に、即ち、切欠部２３ｃと同開口２３ａとの間に、上記壁部（２１ｃ）を周方向に沿うリブ状に切欠部２３ｃの範囲内で被写体側に延びるように形成する構成でもよい。また、別の言い方をすれば、切欠部２３ｃと拡散板（拡散部）との間に、上記壁部（２１ｃ）を周方向に沿うリブ状に切欠部２３ｃの範囲以上に被写体側に延びるように形成する構成でもよい。このような構成とする場合、壁部（２１ｃ）は、円環状反射部材２３（の切欠部２３ｃ）と一体に形成してもよいし、上述の一実施形態と同様に、マウント部材２１側に壁部（２１ｃ）を形成する形態でもよい。
【００８８】
また、上記照明用アダプタ１０は、導光手段１１と反射本体１２とによって構成されるが、本実施形態の照明用アダプタ１０では、マウント部材２１と本体部材２２と円環状反射部材２３とを組み合わせて、導光手段１１と反射本体１２とが一体となるように構成している。
【００８９】
しかし、照明用アダプタ１０の構成は、この例に限られることはなく、例えば導光手段１１と反射本体１２とを、それぞれ別体に形成した後、両者を接続するような形態で構成してもよい。さらに、この場合において、マウント部材２１、本体部材２２、円環状反射部材２３のそれぞれに相当する部分を、それぞれ別部材で構成する形態であってもよいし、各部材（２１、２２、２３）のそれぞれに相当する部分を一体化して一部材として構成るような形態としてもよい。
【００９０】
このように構成された本実施形態の照明用アダプタ１０を撮像装置１に取り付けたとき、撮像装置１の発光部５から出射した照明光は、図４、図５の符号Ｓで示す一点鎖線の範囲内に照射される。この照明光は、まず、図４、図５に示すように、閃光放電管５１から出て、直接前方へ照射され、また照明光反射笠５２によって反射された後、前方へ向けて照射される。そして、照明光照射窓５３を透過して拡散された後、照明用アダプタ１０の光導入開口２１ｂから導光手段１１の筐体部内部に導かれる。
【００９１】
導光手段１１の筐体部内部に導かれた照明光は、反射部材３２によってあらゆる方向に反射され、その反射光は、最終的には開口２２ｂ、２３ｂへと向かい、拡散板３３を透過して拡散照明光に変換された後、反射面３５の内側領域に導かれる。
【００９２】
反射面３５の内側領域に照射された拡散照明光は、一部は直接被写体側（前方）に向けて照射され、他の一部は反射面３５によって拡散され被写体側（前方）に向けて反射される。さらに、他の一部は壁部２１ｃによって遮光される。
【００９３】
以上説明したように上記一実施形態によれば、照明光を外部に照射するための発光部５を有する撮像装置１に取り付けられる照明用アダプタ１０において、光導入開口２１ｂを光学的に開口する全開状態と、上記光導入開口２１ｂを一部遮蔽する半遮光状態とに切り換え可能な可動の遮光部材２６を、光導入開口２１ｂの近傍に設けて構成している。そして、この遮光部材２６は、使用者（ユーザ）が必要に応じて適宜、上記開口状態切換操作部材２８を操作することにより、光導入開口２１ｂから導入される照明光の光路中に挿入したり、同光路中から退避させることができるように構成している。
【００９４】
この構成によって、使用者（ユーザ）が上記開口状態切換操作部材２８を操作して、光導入開口２１ｂから導入される照明光の光路中に遮光部材２６を挿入したとき（半遮蔽状態としたとき）には、光導入開口２１ｂから導入され、これを通過する照明光の光量を減少させる調整を行うことができる。また、同様に、使用者（ユーザ）が上記開口状態切換操作部材２８を操作して、光導入開口２１ｂから導入される照明光の光路中から遮光部材２６を退避させたとき（全開状態としたとき）には、光導入開口２１ｂから導入される照明光の略全てを通過させることができる。
【００９５】
したがって、所望の被写体が近距離にあったり高反射率である等の理由によって、撮像装置１による照明光の光量調整を行っても照明光が過大となるような状況下において、撮像装置１による照明光の光量調整を超えた場合でも、照明光の光量調整を行うことができ、よって適正な光量の照明光を近接被写体に向けて均一に照射することができるので、常に適正な露出量を得ることができ、取得画像の画質劣化を抑えることができる。
【００９６】
ところで、上述したように、本実施形態の照明用アダプタ１０が取り付けられる撮像装置１は、発光部５の照明光照射窓５３が、当該撮像装置１の前面において、同撮像装置１に向かって右上隅近傍の領域に配設されている。このような前面レイアウト構成を有する撮像装置１を手に持って撮像操作を行う場合、使用者（ユーザ）は、通常の場合、右手を同撮像装置１の左側寄りに設けられるグリップ部６を把持するように持つと同時に、左手１００は、図１２に示すように、同撮像装置１の右側寄りの領域（図１２の符号２ｇで示す領域；以下、左手保持領域というものとする）に添えられて、当該撮像装置１を保持されるのが自然な形態である。
【００９７】
上述したように、本実施形態の照明用アダプタ１０は、当該照明用アダプタ１０が撮像装置１に取り付けられて使用されるものである。撮像装置１に照明用アダプタ１０を取り付ける際には、撮像装置１の前面において、照明用アダプタ１０の導光手段１１が、撮像装置１の発光部５を覆うように配置される。このとき、撮像装置１の発光部５の照明光照射窓５３に対向する位置に、導光手段１１の光導入開口２１ｂが配置される。
【００９８】
この場合において、撮像装置１の前面に取り付けられた照明用アダプタ１０の、特に導光手段１１の筐体部が、図１２に示す左手保持領域２ｇを占有しないように形成されているのが望ましい。導光手段１１の筐体部が図１２の左手保持領域２ｇを占有してしまうと、当該照明用アダプタ１０を取り付けた撮像装置１は保持し難いものとなってしまい、使用感を損ねてしまう要因になる。特に、近接被写体を撮像する場合（即ち本実施形態の照明用アダプタ１０を取り付けて撮像を行う場合）には、撮像装置１を両手で確実に保持されることが望ましい。
【００９９】
このようなことを考慮して、本実施形態の照明用アダプタ１０においては、導光手段１１の筐体部の形状は、正面側から見た形状を略三角形状となるように形成している（図１２参照）。導光手段１１の筐体部を、このような形状とすることにより、図１２に示すように、照明用アダプタ１０の導光手段１１の筐体部は、撮像装置１の左手保持領域２ｇをできるだけ広く確保することができる。
【０１００】
具体的には、例えば、撮像装置１を保持する際に、左手保持領域２ｇに左手１００を添えたとき、当該左手１００の指（特に人差し指）は、図１２に示すように、左手保持領域２ｇの中程の部位から発光部５の配設されている右上隅近傍に向けて配置されるのが自然な形となることがわかる。そこで、本実施形態の照明用アダプタ１０においては、このときの左手１００の配置を考慮して、これをできるだけ阻害しないような形状となるように、導光手段１１の筐体部は形成されている。即ち、導光手段１１の筐体部の形状は、正面側から見た形状を略三角形状とし、そのうちの一辺であり第１の辺である斜辺１１ａを、図１２のように撮像装置１に添えた左手１００の指（特に人差し指）に沿う位置に形成している。
【０１０１】
また、これと同時に、導光手段１１の筐体部の形状の略三角形状において、上記斜辺１１ａに対向する二辺のうちの一辺であり上面寄りの第２の辺である上辺１１ｂを、撮像装置１の上面に沿う線に、略平行となるように合わせて形成している。ここで、上記斜辺１１ａと上記上辺１１ｂとは、当該導光手段１１の筐体部における上記開口状態切換操作部材２８の近傍にて交差する。また、上記斜辺１１ａに対向する二辺のうちの他の一辺は、反射本体１２の円弧に接する部位に設けられる第３の辺であり、これを符号１１ｃで示す。この第３の辺１１ｃは、上記斜辺１１ａと、上記上辺１１ｂとの双方と、反射本体１２の外周縁部近傍にて上記交差する。したがって、上記第３の辺１１ｃは、反射本体１２の外周円弧形状に接するか、又は内包されている。
【０１０２】
このような構成とすることにより、当該照明用アダプタ１０を撮像装置１に取り付けた時には、導光手段１１の筐体部が、撮像装置１の上面から上方に突出しないように形成されている。
【０１０３】
ここで、上記遮光部材２６は、上述したように、導光手段１１の内部において、開口状態切換操作部材２８の支軸を回動中心として、所定の範囲内で回動又は揺動するように構成されている。したがって、遮光部材２６は、全開状態とするときに、撮像装置１の下面側に向けて回動させることで、発光部５の照明光の光路から退避させ得るように構成している。このような構成により、当該照明用アダプタ１０の装着時における装置全体の大型化が阻止されている。
【０１０４】
そして、上述のように、導光手段１１の筐体部の形状を略三角形状とし、遮光部材２６は、全開状態時（退避時）には下面側（即ち斜辺１１ａ側）に向けて回動させるように構成していることから、遮光部材２６自体の形状についても、以下のように工夫されている。
【０１０５】
上記遮光部材２６について、上述した説明では単に、やや細長の略短冊形状に形成されているものとしているが、より詳しくは、遮光部材２６は次のような形状からなる。即ち、遮光部材２６は、これを半遮蔽状態としたとき、その上辺が撮像装置１の上面に沿う線と略平行となるように形成している。また、遮光部材２６を全開状態としたとき、つまり遮光部材２６が退避位置にあるとき、当該遮光部材２６の下辺は、導光手段１１の筐体部の斜辺に沿って略平行に形成されている。このように、遮光部材２６の下辺を、斜辺で形成することにより、筐体部の内部で回動する遮光部材２６は、内部構造物を避けながら、より大きい回転角を確保しつつ、遮光部材２６の大きさ及び可動範囲を確保することができる。このように、遮光部材２６の必要なサイズを確保することができるので、当該遮光部材２６を照明光の光路に対して挿抜させることによる遮光効果、即ち減光機能をより高めることができる。
【０１０６】
以上のように、本実施形態の照明用アダプタ１０においては、導光手段１１の筐体部の形状を工夫することによって、当該照明用アダプタ１０を装着した場合にも、撮像装置１の保持を阻害するようなこともなく、使用感を損なうことなく、自然な形態で違和感なく使用することができる。
【０１０７】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【０１０８】
本発明は、撮像機能に特化した撮像装置のみに限られることはなく、撮像機能を備えたその他の形態の電子機器、例えばデジタルカメラ、ムービーカメラ、携帯電話、スマートフォン、電子手帳、電子辞書、携帯情報端末、パーソナルコンピュータ、タブレット型端末機器、ゲーム機器、テレビジョン受像器、時計、ＧＰＳ（Global Positioning System）を利用したナビゲーション機器等、各種の撮像機能付き電子機器に対して広く適用することができる。
【符号の説明】
【０１０９】
１……撮像装置
２……筐体
３……操作部材
４……保護窓部材
４ａ……アクセサリ取付用マウント部
４ｂ……撮像開口
５……発光部
６……グリップ部
７……ストラップ取付部
１０……照明用アダプタ
１０ａ……開口部
１１……導光手段
１２……反射本体
２１……マウント部材
２１ａ……開口
２１ｂ……光導入開口
２１ｃ……壁部
２１ｄ……バヨネット爪
２２……本体部材
２２ａ……開口
２２ｂ……開口
２２ｃ……貫通孔
２３……円環状反射部材
２３ａ……開口
２３ｂ……開口
２３ｃ……切欠部
２４……保護板
２５……両面テープ
２６……遮光部材
２６ａ……支持孔
２６ｂ……クリック凸部
２７……切換クリック機構
２８……開口状態切換操作部材
２９……ビス
３０……ボール
３２……反射部材
３２ａ……第１反射板
３２ｂ……第２反射板
３２ｃ……第３反射板
３３……拡散板
３４……両面テープ
３５……反射面
３６……ビス
４１……撮像光学系
５１……閃光放電管
５２……照明光反射笠
５３……照明光照射窓
ＡｏＶ……画角
Ｈ……壁部延出高さ
Ｏ……撮像光軸
【図１】
0006674276.tif 000002
【図２】
0006674276.tif 000003
【図３】
0006674276.tif 000004
【図４】
0006674276.tif 000005
【図５】
0006674276.tif 000006
【図６】
0006674276.tif 000007
【図７】
0006674276.tif 000008
【図８】
0006674276.tif 000009
【図９】
0006674276.tif 000010
【図１０】
0006674276.tif 000011
【図１１】
0006674276.tif 000012
【図１２】
0006674276.tif 000013